(57)【要約】      （修正有）【課題】従来の自動人間輸送装置（ＡＰＭ）モノレールシステムの欠点を排除した改良システムを提供する。【解決手段】ＡＰＭモノレールシステムは、誘導路部分と該誘導路ビームから上方へ延在するより狭幅の誘導路ビーム２１０とを有するモノレール軌道１１０上で車両の車体本体を支持しかつ案内するボギー組立体３１０を含む。誘導路部分は一対のレールを含み、一方、誘導路ビームは頂部面２１２と一対の側面を画成する。ボギー組立体はまた、それぞれがフレームの側方部材に設置され前記誘導路部分のレールと係合するように作用する一対の負荷車輪を含み、該負荷車輪は、車両が軌道に沿って走行する際車両の車体本体を案内しやすくするために各レールと係合可能なフランジ部分３２８を有する。【選択図】図３
2004345640.tif 000002
【特許請求の範囲】
【請求項１】
車両の車体本体をモノレール軌道上で支持しかつ案内するボギー組立体で、前記モノレール軌道は誘導路部分と該誘導路部分から上方へ延在しているより狭幅の誘導路ビームとを有し、前記誘導路部分は一対のレールを含み、前記誘導路ビームは頂部面と一対の側面とを画成しているボギー組立体において、
―  前記誘導路ビームの上方で前記車両の車体本体を支持するよう作用するフレームであって、
ａ）前記車両の車体本体の下側に枢動可能に装着するようにされている上面と、
ｂ）前記上面から下方へ延在する一対の側方部材であって、各側方部材は内面と外面とを有し、前記内面は前記誘導路ビームのそれぞれの側面に隣接して位置するようにされている一対の側部材と、
を含むフレームと；
―  各々が前記フレームのそれぞれの側方部材に装着されており、前記モノレール軌道の一対のレールのそれぞれと係合するように作用する一対の負荷車輪であって、各負荷車輪が前記モノレール軌道に沿った前記車両の車体本体の誘導を促進するためにそれぞれのレールと係合することができるフランジ部分を有する荷重車輪と、を
含むことを特徴とするボギー組立体。
【請求項２】
前記ボギー組立体は前記車両の車体本体を駆動するためのリニアモータ推進システムを更に含むことを特徴とする請求項１に記載のボギー組立体。
【請求項３】
前記車両の車体本体が動いているとき、各々が前記誘導路ビームのそれぞれの側面と係合するために前記フレームの各側方部材の内面に装着するようにつくられている一対の案内車輪であって、前記モノレール軌道に沿った前記車両の車体本体の動きを案内する案内車輪を更に含むことを特徴とする請求項１に記載のボギー組立体。
【請求項４】
前記負荷車輪が鋼製であることを特徴とする請求項１に記載のボギー組立体。
【請求項５】
各負荷車輪の前記フランジ部分は、前記車両の車体本体が前記モノレール軌道の誘導路転轍機を通って走行するにつれて、該車両の車体の動きを案内するように作用することを特徴とする請求項１に記載のボギー組立体。
【請求項６】
前記フレームが前記車両の車体本体の長さの少なくとも一部に沿って延在することを特徴とする請求項１に記載のボギー組立体。
【請求項７】
モノレール軌道を走行する車両であって、前記モノレール軌道は誘導路部分と該誘導路部分から上方に延在するより狭幅の誘導路ビームとを有し、前記誘導路部分は一対のレールを含み、前記誘導路ビームは頂部面と一対の側面とを画成し、前記車両は少なくとも一対の負荷車輪を有し、各負荷車輪は前記モノレール軌道の一対のレールのそれぞれと係合するよう作用し、各負荷車輪は前記モノレール軌道に沿って前記車両を案内し易くするために前記それぞれのレールと係合することが可能なフランジ部分を有していることを特徴とするモノレール軌道上を走行する車両。
【請求項８】
請求項７に記載の車両であって、該車両がさらに、
―  前記車両の車体本体を前記誘導路ビームの上方で支持するフレームを有するボギー組立体であって、
ａ）前記車両の車体本体の下側に枢動可能に装着するようにつくられた上面と、
ｂ）前記上面から下方へ延在した一対の側方部材であって、各側方部材が内面と外面とを有し、前記各側方部材の内面が前記誘導路ビームの側面のそれぞれに隣接して位置するようにつくられている一対の側方部材と、を含む
ボギー組立体を、含むことを特徴とする車両。
【請求項９】
前記各負荷車輪が前記フレームの側方部材のそれぞれに装着されていることを特徴とする請求項８に記載の車両。
【請求項１０】
前記車両が更に、該車両を駆動するためのリニアモータ推進システムを含むことを特徴とする請求項９に記載の車両。
【請求項１１】
前記リニアモータが前記ボギーに装着されていることを特徴とする請求項１０に記載の車両。
【請求項１２】
前記リニアモータが前記車両の車体本体の下側に装着されていることを特徴とする請求項１０に記載の車両。
【請求項１３】
請求項９に記載の車両であって、さらに一対の案内車輪を含み、各案内車輪は、前記車両が動いているとき、前記誘導路ビームのそれぞれの側面と係合するように前記フレームの側方部材の各々の内面に装着するようにされ、該案内車輪は前記モノレール軌道に沿った前記車両の動きを案内することを特徴とする車両。
【請求項１４】
前記負荷車輪が鋼製であることを特徴とする請求項９に記載の車両。
【請求項１５】
前記の各負荷車輪のフランジ部分は、前記車両が前記モノレール軌道の誘導路の転轍機を通して走行するにつれて、前記車両の動きを案内するよう作用することを特徴とする請求項８に記載の車両。
【請求項１６】
前記フレームが前記車両の車体本体の長さの少なくとも一部に亘って延在していることを特徴とする請求項８に記載の車両。
【請求項１７】
輸送システムであって、
―  誘導路部分と、該誘導路部分から上方に延在するより狭幅の誘導路ビームとを有するモノレール軌道であって、前記誘導路ビームが頂部面と一対の側面とを画成しているモノレール軌道と、
―  前記誘導路部分に装着された一対のレールと、
―  前記モノレール軌道上を走行するようにされた少なくとも一両の車両であって、
ａ）  車体本体と、
ｂ）  一対の負荷車輪であって、各負荷車輪は前記対のレールのそれぞれと係合するよう作用し、各負荷車輪が前記モノレール軌道に沿って前記車両を案内し易くするように前記のそれぞれのレールと係合することが可能であるフランジ部分を有することを特徴としている一対の負荷車輪と、を含む
少なくとも一両の車両と、
を含むことを特徴とする輸送システム。
【請求項１８】
請求項１７に記載の輸送システムであって、前記車両が更に、
―  前記誘導路ビームの上方で前記車体本体を支持するためのフレームを有するボギー組立体であって、前記フレームが、
（１）  前記車体本体の下側に枢動可能に装着するようにされた上面と、
（２）  前記上面から下方へ延在した一対の側方部材であって、各側方部材が内面と外面とを有し、各側方部材の前記内面が前記誘導路ビームの側面のそれぞれに隣接して位置するようにされている一対の側方部材と、を含む、
ボギー組立体を含むことを特徴とする輸送システム。
【請求項１９】
前記負荷車輪の各々が前記フレームの側方部材のそれぞれに装着されていることを特徴とする請求項１８に記載の輸送システム。
【請求項２０】
前記車両が更に、該車両を駆動するためのリニアモータ推進システムを含むことを特徴とする請求項１９に記載の輸送システム。
【請求項２１】
前記リニアモータが前記ボギーに装着されていることを特徴とする請求項２０に記載の輸送システム。
【請求項２２】
前記リニアモータが前記車両の車体本体の下側に装着されていることを特徴とする請求項２０に記載の輸送システム。
【請求項２３】
請求項１９に記載の輸送システムで、さらに一対の案内車輪を含み、各案内車輪は、前記車両が動いているとき、前記誘導路ビームのそれぞれの側面と係合するように前記フレームの各々の側方部材の内面に装着するようにされて、該案内車輪は前記モノレール軌道に沿った前記車両の動きを案内することを特徴とする輸送システム。
【請求項２４】
前記負荷車輪が鋼製であることを特徴とする請求項１９に記載の輸送システム。
【請求項２５】
前記モノレール軌道は少なくとも一つの誘導路転轍機を含み、前記の各負荷車輪のフランジ部分は、前記車両が前記モノレール軌道の誘導路転轍機を通して走行するにつれて、前記車両の動きを案内するように前記のそれぞれのレールと係合するように作用することを特徴とする請求項１８に記載の輸送システム。
【請求項２６】
前記フレームが前記車両の車体本体の長さの少なくとも一部に亘って延在することを特徴とする請求項１８に記載の輸送システム。
【請求項２７】
前記のより狭幅の誘導路ビームが前記誘導路転轍機全体を通して途切れていることを特徴とする請求項２５に記載の輸送システム。
【請求項２８】
前記誘導路転轍機が標準的なＡＲＥＡ規定の軌道転轍機であることを特徴とする請求項２７に記載の輸送システム。
【請求項２９】
前記対のレールが一対の標準的な軌道レールであることを特徴とする請求項１７に記載の輸送システム。
【請求項３０】
前記対のレールが標準的な１４５３ミリメートルであるゲージを含むことを特徴とする請求項２９に記載の輸送システム。
【発明の詳細な説明】
【背景技術】
【０００１】
従来の自動人間輸送装置（Ａｕｔｏｍａｔｅｄ  Ｐｅｏｐｌｅ  Ｍｏｖｅｒ：ＡＰＭ）、人間輸送装置およびモノレールシステムの設計は数々の欠点を有することが知られている。先ず、これらの従来の設計では典型的にサスペンション、案内および推進のサブシステムに対してゴムタイヤを必要としているが、それは過度のタイヤ回転速度や激しい振動によって通常極端なタイヤの摩滅や早期のサスペンションの故障をもたらすような高速および極度な温度の双方が存在する用途において制約をもたらしている。更に、ゴムタイヤを使用することによって寒冷気候（すなわち、降雪や氷結状態）において誘導路を加熱する必要性をもたらし、そのため従来の設計は全天候操車に対して適していないのみならず経済的でもないことが多い。
【０００２】
従来のＡＰＭおよびモノレールシステムは典型的に誘導路ビーム面（ｇｕｉｄｅｗａｙ  ｂｅａｍ  ｓｕｒｆａｃｅ）によって支持され、かつ誘導されるものであり、そして車両重量（ｖｅｈｉｃｌｅ  ｗｅｉｇｈｔ）と制限されたタイヤの負荷定格（ｌｏａｄ  ｒａｔｉｎｇｓ）の故に、乗客の収容能力および高速での応用に対して制限があることが多い。更に、中間支持タイヤ／推進タイヤが殆どのモノレール車両（ｖｅｈｉｃｌｅ）において車両の内部床スペースを占拠するという事実が結果的に乗客用のスペースを制限し、緊急時の避難のために必要とされる連結車体（ｃｏｎｎｅｃｔｅｄ  ｃａｒｓ）の間の乗客の移動（通り抜け）を阻止している。過去において、車体（ｃａｒ）はある構造上および操車上の安全規則を満足させるのが極めて困難であるため、モノレール車両の経済的な設計は自動人間輸送装置（ＡＰＭｓ）としては分類されなかった。
【０００３】
過去数年間、モノレール車両の数種の設計が市場に導入されてきた。しかしながら、これらの従来技術による設計の全ては乗客輸送能力、安全上の制限、作動速度および全天候操車性において制限がある。更に、車体間の通り抜け性は典型的には既存の設計においては存在しないのみならず可能性もない。通り抜け性を有するようなモノレール設計は車両の床がタイヤの上方に位置することを要する。このことはビームの上方高くに着座して、横方向の荷重に対する安定性を低減させ、殆どのモノレールに対する典型的で魅力的な低姿勢の外観（ｌｏｗ−ｐｒｏｆｉｌｅ  ｌｏｏｋ）の達成をできなくする車両を創り出すことになるが、これは多くのモノレールの購入者にとって極めて重要なことである。
【発明の開示】
【発明が解決しようとする課題】
【０００４】
従来のＡＰＭ車両およびモノレール車両の別の欠点はビーム全体を動かす転轍機（ｓｗｉｔｃｈｅｓ）を使用することが本質的に必要であることである。このタイプの転轍機が必要な理由は車両を誘導し、ある場合には、車両の荷重さえも担持するのはビームであるからである。これらの転轍機は標準的なものでなく、従来のレール車両に使用されている標準的な転轍機よりも高価であり、かつ作動が遅いことは明らかである。
【０００５】
このように、現在の推進装置および技術装置の故に、既存のＡＰＭおよびモノレールシステムの設計は、低供給価格および低操車費用で乗り心地および騒音上の快適さが改善されていることが必要な要件である、高速でかつ全天候操車に対して、経済的でもまた適当でもない。
【０００６】
前述のことに照らせば、当該産業分野には改良されたＡＰＭモノレールシステムに対する要求が明らかに存在している。
【課題を解決するための手段】
【０００７】
第一の広義の局面において、本発明は、誘導路部分（ｇｕｉｄｅｗａｙ  ｐｏｒｔｉｏｉｎ）と該誘導路部分から上方へ延在しているより狭幅の誘導路ビーム（ｇｕｉｄｅｗａｙ  ｂｅａｍ）とを有するモノレール軌道上で、車両の車体本体（ｖｅｈｉｃｌｅ  ｃａｒ  ｂｏｄｙ）を支持しかつ誘導するボギー組立体（ｂｏｇｉｅ  ａｓｓｅｍｂｌｙ）を提供する。誘導路部分は一対のレールを含み、一方誘導路ビームは頂部面と一対の側面とを画成している。ボギー組立体は誘導路ビームの上方で車両の車体本体を支持するよう作用するフレームを含み、このフレームは車両の車体本体の下側に枢動可能に装着するようにされた上面と該上面から下方へ延在している一対の側方部材とを含む。
【０００８】
フレームの各側方部材は内面と外面とを有し、各側方部材の内面は誘導路ビームの側面のそれぞれに隣接して位置するようにされている。また、ボギー組立体は一対の負荷車輪（ｌｏａｄ  ｗｈｅｅｌｓ）を含み、各負荷車輪はフレームの各側方部材に装着され、誘導路部分のそれぞれのレールと係合するよう作用する。各負荷車輪は車両の車体本体がモノレールの軌道に沿って走行するにつれて車両の車体本体を案内しやすくするように各レールと係合することができるフランジ部分を有することを特徴としている。
【０００９】
フランジ付きの負荷車輪を利用することは、従来の転轍機および鉄道線路要素（ｔｒａｃｋｗｏｒｋ  ｅｌｅｍｅｎｔｓ）を使用して、モノレール車両が異なるモノレール軌道の間を乗り換えることができるので有利である。
【００１０】
第二の広義の局面において、本発明は、誘導路部分と該誘導路部分から上方に延在しているより狭幅の誘導ビームとを有するモノレール軌道を走行する車両を提供する。前記誘導路部分は一対のレールを含み、一方誘導路ビームの方は頂部面と一対の側面とを画成している。前記車両は少なくとも一対の負荷車輪を有し、各負荷車輪は前記誘導路部分のレールの各々と係合するよう作用する。各負荷車輪はモノレール軌道に沿って車両の車体本体を案内し易くするために各レールと係合することが可能なフランジ部分を含むことを特徴とする。
【００１１】
第三の広義の局面において、本発明は、モノレール軌道と該モノレール軌道上を走行するようにされた少なくとも一両の車両を含む輸送システムを提供する。モノレール軌道は、誘導路部分と、該誘導路部分から上方に延在しているより狭幅の誘導路ビームであって頂部面と一対の側面とを画成する誘導路ビームとを含む。モノレール軌道はまた、誘導路部分に装着された一対のレールを含む。車両は車体本体と、一対の負荷車輪で、各々がモノレール軌道のレールのそれぞれと係合するよう作用する負荷車輪とを含む。各負荷車輪はモノレール軌道に沿って車両の車体本体を案内し易くするためにそれぞれのレールと係合することが可能なフランジ部分を含むことを特徴とする。
【００１２】
本発明の実施例の詳細説明が添付図面を参照して以下提供される。
【発明を実施するための最良の形態】
【００１３】
図において、本発明の実施例が例として示されている。本説明と図面とは正に例示のためで、かつ理解をし易くするためのものであって、本発明の範囲を限定する意図のものでないことを明瞭に理解すべきである。
【００１４】
図１に示す自動人間輸送装置（ＡＰＭ）モノレールシステムは、本発明の非限定的な実施例による、車両／誘導路ビーム配置に対する一体システムのアプローチである。
【００１５】
ＡＰＭモノレール用車両１００は、特に、例えば推進サブシステム、ブレーキサブシステム、および図示していない動力サブシステムのような各種の作動サブシステムを含む。これらのサブシステムはモノレール軌道１１０に沿って車両１００を駆動し、その走行を制御するために全て相互に作動する。これらのサブシステムの機能および各種の可能な実施例については当該技術分野の専門家には周知であり、かつ本発明に対して重要ではないので、詳細には以下説明しない。
【００１６】
図１に示す例において、ＡＰＭモノレール用車両１００は三連結の車体１２０から構成されており、各車体には以下詳細に説明するサスペンションサブシステムが設けられている。ＡＰＭモノレール用車両１００は、本発明の範囲から逸脱することなく３両以上あるいは３両以下の車体１２０を有することができることに注目すべきである。
【００１７】
図１においては、ＡＰＭモノレール用車両１００が沿って走行するモノレール軌道１１０は地上の高さに対して高くされているが、本発明の範囲から逸脱することなくモノレール軌道１００に対しては異なる箇所および異なる設置も可能であることは明らかである。例えば、モノレール軌道１１０は、列車用軌道の設置と同様に地上の高さで設置してもよい。
【００１８】
図２を参照すれば、モノレール軌道１１０は誘導路部分２００と、該誘導路部分２００から上方へ延在しているより狭幅の誘導路ビーム２１０とを含む。誘導路ビーム２１０は頂部面２１２と一対の側面２１４，２１６とを画成している。誘導路ビーム２１０は、車両誘導サブシステムによって、脱線を阻止しやすくし、彎曲した軌道部分内での操舵性を向上させ、かつ軌道が破損した場合に誘導路部分２００から車両が外れることに対して保護するように、使用される。
【００１９】
一対のレール２１８がモノレールの軌道１１０の誘導路部分２００に装着されている。特定の例において、各レール２１８は従来のＡＲＥＡ（米国鉄道技術協会―Ａｍｅｒｉｃａｎ  Ｒａｉｌｗａｙ  Ｅｎｇｉｎｅｅｒｉｎｇ  Ａｓｓｏｃｉａｔｉｏｎ）での規定の鋼製のレールである。しかしながら、本発明の範囲から逸脱することなく種々のタイプのレール２１８を使用してもよい。鉄道線路システム（ｔｒａｃｋｗｏｒｋ  ｓｙｓｔｅｍ）および固定具が、誘導路ビーム２１０の底面近くを延在している、例えばコンクリートで強化したコードベルト（ｃｏｎｃｒｅｔｅ  ｒｅ−ｅｎｆｏｒｃｅｄ  ｃｏｒｄ  ｂｅｌｔｓ）のような構造的な延在部によって支持され、かつ固定されている。
【００２０】
図３は、本発明の実施例による、車体本体３００自体は点線で示した図１に示すモノレール車両１００の各車体１２０のサスペンション／誘導サブシステムの正面図である。サスペンション／誘導サブシステムはモノレール軌道１１０上で車両の車体本体３００を支持しかつ誘導する枢動ボギー組立体３１０を含む。ボギー組立体３１０は誘導路ビーム２１０の頂部面２１２の上に位置され、逆Ｕ字形を特徴とするフレーム３１２を含む。フレーム３１２の各側方部材３１４，３１６は誘導路ビーム２１０の各側方部材２１４，２１６に隣接して位置され、そのためフレーム３１２は誘導路ビーム２１０の外形に沿っている。枢動ボギー組立体３１０は、例えば従来の１４３５ミリメートルの軌間ゲージを含むいずれかの標準的あるいは非標準的な軌間ゲージ（すなわち、レール２１８間の距離）に対して使用するのに適合しうる。
【００２１】
特定の非限定的な例において、ＡＰＭモノレール用車両１００は、摩擦および環境／表面状態によって制限を受ける電動モータによって駆動されるゴムタイヤを使用した従来の推進システムの代わりに低姿勢のリニアモータ（ＬＩＭ）推進サブシステムを組み込んでいる。従って、ＬＩＭ推進装置は車両１００の各端に設置される（図１には示されていない）。図３に示す車体１２０が車両１００の客車であると想定すれば、ボギー組立体３１０はその頂部面の下でＬＩＭ推進装置３１８を支持するようにつくられる。代替的に、ＬＩＭ推進装置３１８は車体本体３００の下に設置してもよい。この実施例においては、ＬＩＭレール２２０は（図２および３に示す）誘導路ビーム２１０の上面２１２に装着されていることに注目すべきである。ＡＰＭモノレール用車両１００を駆動する場合、ＬＩＭ推進装置３１８はＬＩＭレール２２０に沿って走行する。ＬＩＭ推進サブシステムはよく文書に記載され、当該技術分野の専門家には周知であるので、ＬＩＭ推進サブシステムの構造および作動は以下詳細には説明しない。
【００２２】
図３を参照すれば、（負荷車輪とも称される）一対のフランジ付きの車輪３２０が、車体１２０の各端部において、ボギーのフレーム３１２の各側に１個の車輪３２０の割合でボギーフレーム３１２の外面３２２に装着されている。一変形において、車体１２０の各端部において２個以上の負荷車輪３２０をフレーム３１２の各側に設けることができる。特定の例において、車輪３２０はスタブ軸（ｓｔｕｂ−ａｘｌｅ）の鋼製車輪である。各車輪３２０は以下詳細に説明するように、車両１００がモノレール軌道１１０に沿って走行するにつれて車両１００を案内し易くするよう作用するフランジ３２８を有することを特徴とする。
【００２３】
車輪３２０は車体本体３００と誘導路ビーム２１０との間のサスペンション接点面（ｓｕｓｐｅｎｓｉｏｎ  ｉｎｔｅｒｆａｃｅ）を少なくとも部分的に提供するようにレール２１８と係合し、それに沿って走行する。このように、車輪３２０はレール２１８と組み合わせてより大きな荷重を支承することができ、より大きな対負荷抵抗性のあるサスペンションサブシステムを提供する。更に、ＡＲＥＡ規定の鋼レール２１８上に鋼製車輪３２０がある場合、サスペンションサブシステムはコンクリートの上での従来のゴム製車輪の場合より、運動がより静かである。
【００２４】
一対の案内車輪３２４が車体１２０の各端においてボギーフレーム３１２の内面３２６に、フレーム３１２の各側に１個の案内車輪３２４の割合で、装着されている。各案内車輪３２４は車体本体３００を安定化するために誘導路ビーム２１０のそれぞれの側面２１４、２１６に沿って走行する。ある変形においては、車体１２０の各端においてフレーム３１２の各側に２個以上の案内車輪３２４を設けてもよい。
【００２５】
誘導路ビーム２１０上で車体本体３００を支持しかつ車体本体３００と車輪３２０との間の接点となるためにボギー組立体３１０を使用することによって複式のサスペンションシステムを有利に提供する。詳しくは、各ボギーフレーム３１２とそれぞれの車輪３２０との間で一次サスペンションが提供され、一方各ボギーフレーム３１２と該ボギーフレーム３１２に支持されたそれぞれの車体本体３００との間で二次サスペンションが提供される。従って、既存の設計におけるよりも車体本体３００に伝達される振動は少なく、乗客に対してより滑らかで、かつ静かな乗り心地を提供する。更に、本明細書で説明されているＡＰＭモノレールシステムは全天候操車に適しており、既存のＡＰＭ設計要件および安全規則を満足させる。
【００２６】
図３から判るように、各車輪３２０とそれぞれのレール２１８との間の接触区域は車体本体３００の下部スカートの包囲部の丁度下方にあり、従来の軌道転轍機や要素を鉄道線路システムの一部として設置できるようにする。サスペンション車輪全てを誘導路ビーム２１０の頂部面２１２の下方へ移し変えることによっても車体の内部の包囲部をすっきりさせ、乗客のための床スペースを増し、連結した車体間の通り抜け可能な接続を可能とする。
【００２７】
鋼製の車輪３２０のフランジ３２８は、従来の転轍機要素を使用して、モノレールの軌道１１０間を車両１００が乗り換えるようにしうる。より詳しくは、図４を参照すれば、転轍機４００において、誘導路ビーム２１０は異なる軌道１１０の端の間で中断（すなわち、不連続と）されている。しかしながら、鋼製のレール２１８は転轍機４００を通して連続しており、鋼製車輪３２０のフランジ３２８とレール２１８との間の係合だけで転轍機４００を通して車両１００を案内するのに十分である。一旦転轍機４００を通過すると、ボギー３１０の内面３２６に位置した案内車輪３２４は新しいモノレール軌道１１０の誘導路ビーム２１０と再係合し、車両１００はボギー３１０によって新しい誘導路ビーム２１０上で支持されて走行を続ける。
【００２８】
転轍機４００の間では案内車輪３２４がＡＴＭモノレール車両１００をモノレール軌道１１０上で中央にくるようにするために使用されることに注目されたい。その結果、車輪３２０のフランジ３２８はレール２１８と接触するようにはならず、それによってノイスレベルを低下させ、高速での安定性を促進する。車両１００が転轍機４００を通して走行するときには、車輪のフランジ３２８のみが車両１００を案内する。
【００２９】
好適実施例において、フランジ付きの負荷車輪３２０とレール２１８の双方は鋼製であり、車体本体３００の下部スカート縁部の丁度下方で複式の鋼製レール接点（ｉｎｔｅｒｆａｃｅ）を形成する。この複式鋼製レール接点を１４３５ミリメートルの標準的な軌間ゲージと統合することによって、従来の既存のＡＲＥＡ転轍機および鉄道線路要素をモノレール軌道１１０架設の一部として使用することができる。更に、そのような鋼製車輪の接点の設計および配置によってＡＴＭモノレール車両を従来の鉄道輸送機製造会社において現在使用されている既存のＡＲＥＡ適正輸送鉄道線路施設（ｃｏｍｐｌｉａｎｔ  ｔｒａｎｓｉｔ  ｔｒａｃｋｗｏｒｋ  ｆａｃｉｌｉｔｉｅｓ）および関連の軌道基幹設備（ｔｒａｃｋ  ｉｎｆｒａｓｔｒｕｃｔｕｒｅｓ）において製造し、検査し、かつ保全できるようにする。
【００３０】
典型的に、ＡＴＭモノレール車両１００の前部および後部車体１２０は、車体の下の推進設備を冷却しやすくしかつその作動効率を向上させるように、誘導路ビーム２１０に沿って圧縮された流動空気を案内しかつトンネルを通すような要領で構成されている。本発明の実施例の変形例において、ＡＴＭモノレール車両１００のサスペンション／案内サブシステムは車輪３２０の近傍に装着された音響緩衝のための延在スカート（図示なし）を組み込むことができる。そのような音響緩衝用延在スカートは車輪３２０とレール２１８との間の接点において発生した車輪／レールの騒音の放出を低減し、また空気のトンネル効果を制御しやすくするよう作用する。
【００３１】
各種の実施例を前述してきたが、これらは説明のためのものであり、本発明を限定するものではない。当該技術分野の専門家には各種の修正が明らかとなるであろうが、それらは特許請求の範囲によって特に定義される本発明の範囲内に包含される。
【図面の簡単な説明】
【００３２】
【図１】本発明の一実施例によるＡＴＭモノレールシステムの側面図である。
【図２】本発明の一実施例による、図１に示すモノレール軌道の正面図である。
【図３】本発明の一実施例による、図１に示すモノレール車両の車体のサスペンション／案内サブシステムの正面図である。
【図４】本発明の一実施例によるモノレール軌道の転轍機の上面図である。
【符号の説明】
【００３３】
１００  ＡＰＭモノレール車両
１１０  モノレール軌道
１２０  車体
２００  誘導路部分
２１０  誘導路ビーム
２１２  頂部面
２１４，２１６  側面
２１８  レール
２２０  ＬＩＭレール
３００  車体本体
３１０  ボギー組立体
３１２  フレーム
３１４，３１６  側方部材
３１８  リニアモータ（ＬＩＭ）推進装置
３２０  車輪
３２４  案内車輪
３２８  フランジ
４００  転轍機
【図１】
2004345640.tif 000003
【図２】
2004345640.tif 000004
【図３】
2004345640.tif 000005
【図４】
2004345640.tif 000006
【外国語明細書】
2004345640.tif 000007
2004345640.tif 000008
2004345640.tif 000009
2004345640.tif 000010
2004345640.tif 000011
2004345640.tif 000012
2004345640.tif 000013
2004345640.tif 000014
2004345640.tif 000015
2004345640.tif 000016
2004345640.tif 000017
2004345640.tif 000018
2004345640.tif 000019
2004345640.tif 000020
2004345640.tif 000021
2004345640.tif 000022
2004345640.tif 000023
2004345640.tif 000024
2004345640.tif 000025
2004345640.tif 000026
2004345640.tif 000027